(57)【特許請求の範囲】
【請求項１】
ＤＶＤ−Ｖｉｄｅｏディスクを再生するディスク再生装置において、ディスクの再生動作の開始時に、メニュー状態に移行したことを検知するメニュー状態検知手段、このメニュー状態検知手段でメニュー状態を検知するとＥｎｔｅｒコマンドを入力するＥｎｔｅｒコマンド入力手段、及びタイマーを備え、
上記メニュー状態検知手段で上位階層のメニュー状態を検知し上記Ｅｎｔｅｒコマンド入力手段でＥｎｔｅｒコマンドを入力してからの時間を上記タイマーで計測し、所定時間以内に上記メニュー状態検知手段で下位階層のメニュー状態に移行したことを検知すると上記Ｅｎｔｅｒコマンド入力手段でＥｎｔｅｒコマンドを入力するように構成して、自動的にコンテンツの再生動作を開始するようにしたディスク再生装置。
【請求項２】
タイトルを再生し終了したことを検知するタイトル終了検知手段、及びこのタイトル終了検知手段と上記メニュー状態検知手段の両検知出力によりｓｔｏｐコマンドを入力し本体を停止させるｓｔｏｐコマンド入力手段を備えた請求項１記載のディスク再生装置。
【請求項３】
上記Ｅｎｔｅｒコマンド入力手段でＥｎｔｅｒコマンドを入力してからの時間を上記タイマーで計測し、所定時間以上で上記メニュー状態検知手段によりメニュー状態に移行したことを検知すると、ｓｔｏｐコマンドを入力し本体を停止させるｓｔｏｐコマンド入力手段を備えた請求項１記載のディスク再生装置。
【請求項４】
ＤＶＤ−Ｖｉｄｅｏディスクを再生するディスク再生装置において、ディスクの再生動作の開始時に、メニュー状態に移行したことを検知するメニュー状態検知手段、及びこのメニュー状態検知手段でメニュー状態を検知するとＥｎｔｅｒコマンドを入力するＥｎｔｅｒコマンド入力手段を備え、上位階層のメニュー状態でＥｎｔｅｒコマンドを入力すると共に、下位階層のメニュー状態でＥｎｔｅｒコマンドを入力するように構成して、自動的にコンテンツの再生動作を開始すると共に、
タイトルを再生し終了したことを検知するタイトル終了検知手段、及びこのタイトル終了検知手段と上記メニュー状態検知手段の両検知出力によりｓｔｏｐコマンドを入力し本体を停止させるｓｔｏｐコマンド入力手段を備えたディスク再生装置。
【請求項５】
ＤＶＤ−Ｖｉｄｅｏディスクを再生するディスク再生方法において、ディスクの再生動作の開始時に、メニュー状態に移行したことを検知するステップ、及びメニュー状態に移行したことを検知するとＥｎｔｅｒコマンドを入力するステップを有し、これらのメニュー検知ステップとＥｎｔｅｒコマンド入力ステップを繰り返すステップを施して、上位階層のメニュー状態でＥｎｔｅｒコマンドを入力すると共に、下位階層のメニュー状態でＥｎｔｅｒコマンドを入力して、自動的にコンテンツの再生動作を開始すると共に、タイトルを再生し終了したことを検知するステップを有し、この終了検知ステップと上記メニュー状態検知ステップでともに検知すると、ｓｔｏｐコマンドを入力し本体を停止させるステップを施すディスク再生方法。
【発明の詳細な説明】
【０００１】
【発明の属する技術分野】
この発明は、ＤＶＤ−Ｖｉｄｅｏディスクの記録媒体からデータを再生する再生装置及びその記録媒体からのデータの再生方法に関するものである。
【０００２】
【従来の技術】
ＤＶＤ（digitalversatile disc）−Ｖｉｄｅｏディスク再生装置は、１枚のディスクからディスクに記録されたナビゲーションコマンドに従ってデータを再生することで、コンテンツプロバイダの意志を尊重しつつユーザーにその内容を提示する。従ってディスクの設定が、最初にメニュー画面等の再生になっている場合は、ユーザーが操作し映画等のコンテンツの再生を選択入力しない限り、再生動作に移行しない場合も考えられる。
【０００３】
図１０は従来のＤＶＤ−Ｖｉｄｅｏディスク再生装置を示すブロック図、図１１は従来のディスク再生装置の前半の動作を示すフローチャートである。図１０において、ディスク１がターンテーブル３に載せられ、クランパ２によりチャッキングされると、制御手段７の制御に基づいて、スピンドルモータ４により回転させられる。次に、光学ピックアップ５によりディスク１に記録されているデータを読み出し、復調手段６にて復調することにより、ＤＶＤ−Ｖｉｄｅｏディスクの場合、映画等の画像をユーザーは楽しむことが出来る。
【０００４】
これを図１１のフローチャートに基づいて説明する。ディスクの再生を開始する（ＳＴ１）と、ディスクよりビデオ・マネージャ情報（ＶＭＧＩ）を取得する（ＳＴ２）。続いて、ＤＶＤ−Ｖｉｄｅｏ規格においてはファーストプレイ・プログラムチェーン（ＦＰ_ＰＧＣ）を最初に実行すること（ＳＴ３）により、メニュー画面を再生表示（ＳＴ４）し、ユーザー選択により（ＳＴ５）、本編再生を行う（ＳＴ６）。なお、ファーストプレイ・プログラムチェーン（ＦＰ_ＰＧＣ）が存在しないディスクも有り、この場合は、停止状態のままである。また、プレーヤが仕様として再生動作に移行する場合がある。
それに対して、同じディスクメディアであるコンパクトディスクの場合は、ディスク再生が行われると自動的にコンテンツの再生を行うようになっている。
【０００５】
図１２は、従来のディスク再生装置の後半の動作を示すフローチャートである。ディスク再生装置でディスクを再生して（ＳＴ１１）、映画本編を再生（タイトル再生）し（ＳＴ１２）、タイトルの再生が終了すると（ＳＴ１３）、自動的にメニュー画面再生に移行する（ＳＴ１４）。ここでユーザーにより選択入力すると（ＳＴ１５）、その入力に従った動作（例えば終了）を行う（ＳＴ１６）。この場合においても、ユーザーの選択入力によって、次の動作を行うようにディスク側に設定されている。なお、上記の従来例とは異なり、タイトル再生終了後にメニュー画面再生に移行しないものも存在する。
【０００６】
【発明が解決しようとする課題】
特に車載環境等では、ディスクの再生動作の開始時、すなわち、ディスク挿入、あるいは電源投入後等に、自動的にコンテンツの再生が行われるコンパクトディスクのような仕様が適合している。
また、複数枚のディスクを納め、ディスク交換を行い再生するチェンジャ機構を持つディスク再生装置の場合、一枚のディスクの再生が完了すると、ユーザーのディスク交換の指令なく自動的に次あるいは他のディスクの再生を開始するようなとき、本体を一旦停止しないで、ＤＶＤ−Ｖｉｄｅｏ規格設定に従って再生する限り自動で次のディスクに交換する事はきわめて難しい。
【０００７】
この発明は、上記に鑑みてなされたもので、ＤＶＤ−Ｖｉｄｅｏディスクの再生において、ディスクの再生動作の開始時、すなわち、ディスク挿入、あるいは電源投入後等に、ユーザーがメニュー画面で選択入力することなく、自動的にコンテンツの再生動作を開始する再生装置及びその再生方法を得ることを目的とする。
また、タイトルを再生し終了し、再び、メニュー状態に移行したとき、本体を自動的に停止させる再生装置及びその再生方法を得ることを目的とする。
【０００８】
【課題を解決するための手段】
この発明に係わるディスク再生装置は、ＤＶＤ−Ｖｉｄｅｏディスクを再生するディスク再生装置において、ディスクの再生動作の開始時に、メニュー状態に移行したことを検知するメニュー状態検知手段、このメニュー状態検知手段でメニュー状態を検知するとＥｎｔｅｒコマンドを入力するＥｎｔｅｒコマンド入力手段、及びタイマーを備え、上記メニュー状態検知手段で上位階層のメニュー状態を検知し上記Ｅｎｔｅｒコマンド入力手段でＥｎｔｅｒコマンドを入力してからの時間を上記タイマーで計測し、所定時間以内に上記メニュー状態検知手段で下位階層のメニュー状態に移行したことを検知すると上記Ｅｎｔｅｒコマンド入力手段でＥｎｔｅｒコマンドを入力するように構成して、自動的にコンテンツの再生動作を開始するようにしたものである。
【０００９】
また、タイトルを再生し終了したことを検知するタイトル終了検知手段、及びこのタイトル終了検知手段と上記メニュー状態検知手段の両検知出力によりｓｔｏｐコマンドを入力し本体を停止させるｓｔｏｐコマンド入力手段を備えたものである。
また、上記Ｅｎｔｅｒコマンド入力手段でＥｎｔｅｒコマンドを入力してからの時間を上記タイマーで計測し、所定時間以上で上記メニュー状態検知手段によりメニュー状態に移行したことを検知すると、ｓｔｏｐコマンドを入力し本体を停止させるｓｔｏｐコマンド入力手段を備えたものである。
【００１０】
また、この発明に係わるディスク再生装置は、ＤＶＤ−Ｖｉｄｅｏディスクを再生するディスク再生装置において、ディスクの再生動作の開始時に、メニュー状態に移行したことを検知するメニュー状態検知手段、及びこのメニュー状態検知手段でメニュー状態を検知するとＥｎｔｅｒコマンドを入力するＥｎｔｅｒコマンド入力手段を備え、上位階層のメニュー状態でＥｎｔｅｒコマンドを入力すると共に、下位階層のメニュー状態でＥｎｔｅｒコマンドを入力するように構成して、自動的にコンテンツの再生動作を開始すると共に、タイトルを再生し終了したことを検知するタイトル終了検知手段、及びこのタイトル終了検知手段と上記メニュー状態検知手段の両検知出力によりｓｔｏｐコマンドを入力し本体を停止させるｓｔｏｐコマンド入力手段を備えたものである。
【００１１】
さらにまた、この発明に係わるディスク再生方法は、ＤＶＤ−Ｖｉｄｅｏディスクを再生するディスク再生方法において、ディスクの再生動作の開始時に、メニュー状態に移行したことを検知するステップ、及びメニュー状態に移行したことを検知するとＥｎｔｅｒコマンドを入力するステップを有し、これらのメニュー検知ステップとＥｎｔｅｒコマンド入力ステップを繰り返すステップを施して、上位階層のメニュー状態でＥｎｔｅｒコマンドを入力すると共に、下位階層のメニュー状態でＥｎｔｅｒコマンドを入力して、自動的にコンテンツの再生動作を開始すると共に、タイトルを再生し終了したことを検知するステップを有し、この終了検知ステップと上記メニュー状態検知ステップでともに検知すると、ｓｔｏｐコマンドを入力し本体を停止させるステップを施すものである。
【００１２】
【発明の実施の形態】
実施の形態１．
図５は先願（特願２０００−３１３６１３号出願）のディスク再生装置を示すブロック図である。図６はこのディスク再生装置の前半の動作を説明するフローチャートである。図７はＤＶＤ−Ｖｉｄｅｏディスクの論理フォーマットの構造を示す図で、そのＤＩＳＣ構造とＶＭＧ構造を表し、図８はそのＶＭＧＩ構造とＴＴ_ＳＲＰＴ構造を表す。図７と図８は連続しており、図７のＡ，Ｂが図８のＡ，Ｂにつながる。ディスク１がターンテーブル３に載せられ、クランパ２によりチャッキングされるとスピンドルモータ４により回転させられる。次に、光学ピックアップ５によりディスク１に記録されているデータを読み出し（図６のＳＴ２１）、復調手段６にて復調することにより、ＤＶＤ−Ｖｉｄｅｏディスクの場合、映画等の画像をユーザーは楽しむことが出来る。
【００１３】
この映画等の画像を再生するとき、ディスク内のコンテンツについての情報がディスク（ＤＩＳＣ）内のビデオ・マネージャ（ＶＭＧ）内のビデオ・マネージャ情報（ＶＭＧＩ）に記録されている（図７）。このＶＭＧＩの中にはタイトル・サーチポインタ・テーブル（ＴＴ_ＳＲＰＴ）が記録されており、タイトル・サーチポインタ・テーブルには、コンテンツ内のタイトル数と各タイトルの開始ポイント（先頭アドレス）が記録されている（図８）。
ＤＶＤ−Ｖｉｄｅｏディスクの論理フォーマットでは、ＶＭＧＩの読み出し取得（ＳＴ２２）後にファーストプレイ・プログラムチェーン（ＦＰ_ＰＧＣ）が存在している場合、これを実行し（ＳＴ２３）、そのファーストプレイ・プログラムチェーンに記述されているコマンドに従った動作を行わなければならない。
【００１４】
このファーストプレイ・プログラムチェーンの実行により、映画等の本編の再生前に、メニュー画面の再生を行うようにディスクで設定されている場合、メニュー状態になる。これを復調手段６の出力からメニュー状態検知手段８で検知し（ＳＴ２４）、制御手段７に伝える。なお、映画等の本編の再生前に、メニュー画面の再生を行うようにディスクで設定されていない場合は、直ちに、本編の再生（ＳＴ２６）に移行する。
【００１５】
メニュー画面では通常、画面上にボタンが複数個表示されていて、ユーザーが選択し、「Ｅｎｔｅｒ」を入力して決定することにより、メニューから選択された次の動作に移行する。また、一般的にメニュー画面が始まった時点で、予め選択されているボタンは、映画等の本編再生である場合が大半を占めている。
【００１６】
したがって、上述でメニュー状態になったことをメニュー状態検知手段８で検知すると、本体（プレーヤ）側でＥｎｔｅｒコマンド入力手段１０により「Ｅｎｔｅｒ」コマンドを自動的に実行することにより（ＳＴ２５）、メニュー画面から本編再生に移行することができる（ＳＴ２６）。
なお、ＶＭＧＩの読み出し取得（ＳＴ２２）後に、ファーストプレイ・プログラムチェーン（ＦＰ_ＰＧＣ）が存在していなくても、プレーヤの動作仕様により、メニュー状態になるものについても適用できる。
【００１７】
上述のように構成することにより、ＤＶＤ−Ｖｉｄｅｏディスクを本体（プレーヤ）に挿入したときに、ディスクに対してコンテンツプロバイダ側がメニュー画面でユーザーに選択させることにより、本編の再生を行う設定がされていても、コンパクトディスクをプレーヤに挿入した場合と同様な「自動的にコンテンツの再生動作を開始する」という動作を行うプレーヤを得ることができる。
【００１８】
しかしながら、ＤＶＤ−Ｖｉｄｅｏディスクを本体（プレーヤ）に挿入したときに、ディスクに対してコンテンツプロバイダ側がメニュー画面でユーザーに選択させることにより、本編の再生を行う設定がされている場合において、メニューの階層が複数であるときは、「Ｅｎｔｅｒ」コマンドを１回入力しただけては、自動的にコンテンツの再生動作を開始するには至らない。
【００１９】
すなわち、図９はディスク再生装置の前半の動作で、メニューの階層が複数であるときを説明するフローチャートである。ステップＳＴ２１からＳＴ２４までは、図６のフローチャートの場合と同じである。メニュー状態になったことをメニュー状態検知手段８で検知すると、本体（プレーヤ）側でＥｎｔｅｒコマンド入力手段１０により「Ｅｎｔｅｒ」コマンドを自動的に実行することにより（ＳＴ２５）、メニューが下位の階層に移行する（ＳＴ２７）。この状態でユーザーの選択を待っており、ユーザーの選択がない限り、自動的に本編再生に移行しないので、ユーザー選択により（ＳＴ２８）、ユーザー選択に従った動作（本編再生）を行う（ＳＴ２９）。このように、メニューの階層が複数であるときは、「Ｅｎｔｅｒ」コマンドを１回入力しただけては、自動的にコンテンツの再生動作を開始するには至らない。
【００２０】
そこで、この発明は、ＤＶＤ−Ｖｉｄｅｏディスクの再生において、メニューの階層が複数であっても、ディスクの再生動作の開始時、すなわち、ディスク挿入、あるいは電源投入後等に、ユーザーがメニュー画面で選択入力することなく、自動的にコンテンツの再生動作を開始する再生装置及びその再生方法を得ることを目的とする。
【００２１】
図１はこの発明の実施の形態１のディスク再生装置を示すブロック図である。図２はこのディスク再生装置の前半の動作を説明するフローチャートである。図１において、先願の図５と同一又は相当部分には同一符号をつけてその説明を省略する。１２は制御手段７が有するタイマーである。図２を用いてその動作を説明する。図２の場合は、メニューが２階層のときである。図２において、ステップＳＴ２１からＳＴ２４までは、図６のフローチャートの場合と同じである。メニュー状態になったことをメニュー状態検知手段８で検知すると、本体（プレーヤ）側でＥｎｔｅｒコマンド入力手段１０により「Ｅｎｔｅｒ」コマンドを自動的に実行することにより（ＳＴ２５）、メニュー状態検知手段８の検知出力はリセットされ、メニューが下位の階層に移行する（ＳＴ３７）。
【００２２】
下位のメニュー画面でも、通常、画面上にボタンが複数個表示されていて、ユーザーが選択し、「Ｅｎｔｅｒ」を入力して決定することにより、メニューから選択された次の動作に移行する。また、一般的に下位のメニュー画面が始まった時点で、予め選択されているボタンは、映画等の本編再生である場合が大半を占めている。
【００２３】
したがって、下位のメニュー状態になったことを、メニュー状態検知手段８で再び検知すると（ＳＴ３７Ｙ）、本体（プレーヤ）側でＥｎｔｅｒコマンド入力手段１０により「Ｅｎｔｅｒ」コマンドを自動的に実行することにより（ＳＴ３８）、メニュー状態検知手段８の検知出力はリセットされ、メニュー画面から本編再生に移行することができる（ＳＴ３９）。なお、メニュー状態検知手段８の検知とＥｎｔｅｒコマンド入力手段１０による「Ｅｎｔｅｒ」コマンド実行は、数回〜１０程度の繰り返しを可能としておき、ディスク再生装置の不動作に対処するとよい。
【００２４】
上述のように構成することにより、ＤＶＤ−Ｖｉｄｅｏディスクを本体（プレーヤ）に挿入したときに、ディスクに対してコンテンツプロバイダ側がメニュー画面でユーザーに選択させることにより、本編の再生を行う設定がされていて、しかも、メニューが２階層であっても、コンパクトディスクをプレーヤに挿入した場合と同様な「自動的にコンテンツの再生動作を開始する」という動作を行うプレーヤを得ることができる。これは、メニューの階層が複数であっても、同様にして、コンパクトディスクをプレーヤに挿入した場合と同様な「自動的にコンテンツの再生動作を開始する」という動作を行うプレーヤを得ることができる。
【００２５】
実施の形態２．
一般のＤＶＤ−Ｖｉｄｅｏディスクでは、映画等の本編を再生し終えた後に、メニュー画面再生に移行するようにディスク側で設定されていることが多い。このような設定のディスクを再生し終え、再びメニュー画面に移行したときは、次のように動作するよう構成する。
図３はこのディスク再生装置の図２の前半の動作に続く後半の動作を説明するフローチャートである。ディスク再生装置でディスクを再生して（ＳＴ３１）（図２のＳＴ３９）、映画本編を再生（タイトル再生）し（ＳＴ３２）、タイトルの再生が終了すると、これを復調手段６からの出力でタイトル終了検知手段１１が検知し制御手段７に伝える（ＳＴ３３Ｙ）。つづいて、メニュー状態に移行したことを、復調手段６からの出力でメニュー状態検知手段８が検知し制御手段７に伝える（ＳＴ３４Ｙ）。つまり、タイトル終了検知手段１１の検知から所定の時間内にメニュー状態検知手段８が検知すると、両検知手段１１，８がともに検知したことになり、Ｓｔｏｐコマンド入力手段９でＳｔｏｐコマンドをプレーヤ側が自動的に実行して（ＳＴ３５）、プレーヤがＳｔｏｐ状態に移行する。
【００２６】
このように、タイトルの再生が終了した後に、メニュー画面に移行したとき、それを検知してＳｔｏｐ状態に移行することにより、例えば、複数のディスクを収納し、機構的に切り換え再生する、いわゆるチェンジャ・プレーヤにて、たとえ収納されているディスクのタイトル再生が終了した場合にメニュー画面に移行し、ユーザーの選択を待つ仕様になっていたとしても、自動的に順次ディスクを切り換えて連続して再生することが可能となる。なお、次のディスクに切り換えると、先に再生対象になっていたディスクのパラメータはリセットされ、次のディスクの再生に支承を及ぼさない。
【００２７】
実施の形態３．
上述のように、一般のＤＶＤ−Ｖｉｄｅｏディスクでは、映画等の本編を再生し終えた後に、メニュー画面再生に移行するようにディスク側で設定されていることが多い。このような設定のディスクを再生し終え、再びメニュー画面に移行したとき、再び「Ｅｎｔｅｒ」コマンドを入力しないための別の方法を図４に示す。図４は実施の形態３のディスク再生装置の前・後半の動作を合わせて示すフローチャートである。ステップＳＴ２１からＳＴ２４までは、図６のフローチャートの場合と同じである。メニュー状態になったことをメニュー状態検知手段８で検知すると、本体（プレーヤ）側でＥｎｔｅｒコマンド入力手段１０により「Ｅｎｔｅｒ」コマンドを自動的に実行し（ＳＴ２５）、メニュー状態検知手段８の検知出力はリセットされる。
【００２８】
「Ｅｎｔｅｒ」コマンドを入力してからの時間をタイマー１２で計測し（ＳＴ４１）、所定時間Ｔ（例えば３分程度）以内（厳密にはより小）でメニュー画面（下位のメニュー画面）になったことをメニュー状態検知手段８で検知すると（ＳＴ４２）、Ｅｎｔｅｒコマンド入力手段１０により「Ｅｎｔｅｒ」コマンドを自動的に実行し（ＳＴ４３）、メニュー状態検知手段８の検知出力はリセットされ、本編再生に移行する（ＳＴ４４）。なお、メニュー画面（下位のメニュー画面）にならないものは（ＳＴ４２Ｎ）、そのまま本編再生に移行する（ＳＴ４４）。
【００２９】
映画本編を再生（タイトル再生）し（ＳＴ４４）、タイトルの再生が終了する。次に、ステップＳＴ４１で前回の「Ｅｎｔｅｒ」コマンドの入力（ＳＴ４３）から時間がタイマー１２で計測されており、所定時間Ｔ以上でメニュー画面になったことをメニュー状態検知手段８で検知する（ＳＴ４５）ことで、プレーヤがＳｔｏｐ状態に移行する。
【００３０】
このように、メニュー状態を検知し、「Ｅｎｔｅｒ」コマンドの入力から所定時間Ｔ以上でメニュー画面になったとき、Ｓｔｏｐ状態に移行することにより、例えば、複数のディスクを収納し、機構的に切り換え再生する、いわゆるチェンジャ・プレーヤにて、たとえ収納されているディスクのタイトル再生が終了した場合にメニュー画面に移行し、ユーザーの選択を待つ仕様になっていたとしても、自動的に順次ディスクを切り換えて連続して再生することが可能となる。
【００３１】
【発明の効果】
以上説明したように、この発明のディスク再生装置によれば、ＤＶＤ−Ｖｉｄｅｏディスクを再生するディスク再生装置において、ディスクの再生動作の開始時に、メニュー状態に移行したことを検知するメニュー状態検知手段、このメニュー状態検知手段でメニュー状態を検知するとＥｎｔｅｒコマンドを入力するＥｎｔｅｒコマンド入力手段、及びタイマーを備え、上記メニュー状態検知手段で上位階層のメニュー状態を検知し上記Ｅｎｔｅｒコマンド入力手段でＥｎｔｅｒコマンドを入力してからの時間を上記タイマーで計測し、所定時間以内に上記メニュー状態検知手段で下位階層のメニュー状態に移行したことを検知すると上記Ｅｎｔｅｒコマンド入力手段でＥｎｔｅｒコマンドを入力するように構成して、自動的にコンテンツの再生動作を開始するようにしたので、メニューの階層が複数であっても、ディスクの再生動作の開始時、すなわち、ディスク挿入、あるいは電源投入後等に、ユーザーがメニュー画面で選択入力することなく、自動的にコンテンツの再生動作を開始することができと共に、タイトルを再生し終了し、再び、メニュー状態に移行したときは、Ｅｎｔｅｒコマンドを入力することはない。
【００３２】
また、タイトルを再生し終了したことを検知するタイトル終了検知手段、及びこのタイトル終了検知手段と上記メニュー状態検知手段の両検知出力によりｓｔｏｐコマンドを入力し本体を停止させるｓｔｏｐコマンド入力手段を備えたので、タイトルを再生し終了し、再び、メニュー状態に移行したとき、本体を自動的に停止させることができる。
【００３３】
また、この発明のディスク再生装置によれば、ＤＶＤ−Ｖｉｄｅｏディスクを再生するディスク再生装置において、ディスクの再生動作の開始時に、メニュー状態に移行したことを検知するメニュー状態検知手段、及びこのメニュー状態検知手段でメニュー状態を検知するとＥｎｔｅｒコマンドを入力するＥｎｔｅｒコマンド入力手段を備え、上位階層のメニュー状態でＥｎｔｅｒコマンドを入力すると共に、下位階層のメニュー状態でＥｎｔｅｒコマンドを入力するように構成して、自動的にコンテンツの再生動作を開始すると共に、タイトルを再生し終了したことを検知するタイトル終了検知手段、及びこのタイトル終了検知手段と上記メニュー状態検知手段の両検知出力によりｓｔｏｐコマンドを入力し本体を停止させるｓｔｏｐコマンド入力手段を備えたので、メニューの階層が複数であっても、ディスクの再生動作の開始時、すなわち、ディスク挿入、あるいは電源投入後等に、ユーザーがメニュー画面で選択入力することなく、自動的にコンテンツの再生動作を開始することができと共に、タイトルを再生し終了し、再び、メニュー状態に移行したとき、本体を自動的に停止させることができる。
【００３４】
さらにまた、この発明のディスク再生方法によれば、ＤＶＤ−Ｖｉｄｅｏディスクを再生するディスク再生方法において、ディスクの再生動作の開始時に、メニュー状態に移行したことを検知するステップ、及びメニュー状態に移行したことを検知するとＥｎｔｅｒコマンドを入力するステップを有し、これらのメニュー検知ステップとＥｎｔｅｒコマンド入力ステップを繰り返すステップを施して、上位階層のメニュー状態でＥｎｔｅｒコマンドを入力すると共に、下位階層のメニュー状態でＥｎｔｅｒコマンドを入力して、自動的にコンテンツの再生動作を開始すると共に、タイトルを再生し終了したことを検知するステップを有し、この終了検知ステップと上記メニュー状態検知ステップでともに検知すると、ｓｔｏｐコマンドを入力し本体を停止させるステップを施すので、メニューの階層が複数であっても、ディスクの再生動作の開始時に、ユーザーがメニュー画面で選択入力することなく、自動的にコンテンツの再生動作を開始することができると共に、タイトルを再生し終了し、再び、メニュー状態に移行したとき、本体を自動的に停止させることができる。
【図面の簡単な説明】
【図１】  この発明の実施の形態１のディスク再生装置を示すブロック図である。
【図２】  この発明の実施の形態１のディスク再生装置の前半の動作を説明するフローチャートである。
【図３】  この発明の実施の形態２のディスク再生装置の後半の動作を説明するフローチャートである。
【図４】  この発明の実施の形態３のディスク再生装置の前・後半の動作を合わせて示すフローチャートである。
【図５】  先願のディスク再生装置を示すブロック図である。
【図６】  先願のディスク再生装置の前半の動作を説明するフローチャートである。
【図７】  ＤＶＤ−Ｖｉｄｅｏディスクの論理フォーマットの構造を示す図で、そのＤＩＳＣ構造とＶＭＧ構造を表す。
【図８】  図７と連続し、そのＶＭＧＩ構造とＴＴ_ＳＲＰＴ構造を表す。
【図９】  先行技術のディスク再生装置における前半の動作で、メニューの階層が複数であるときを説明するフローチャートである。
【図１０】  従来のディスク再生装置を示すブロック図である。
【図１１】  従来のディスク再生装置の前半の動作を示すフローチャートである。
【図１２】  従来のディスク再生装置の後半の動作を示すフローチャートである。
【符号の説明】
１  ディスク                        ２  クランパ
３  ターンテーブル                  ４  スピンドルモータ
５  光学ピックアップ                ６  復調手段
７  制御手段                        ８  メニュー状態検知手段
９  Ｓｔｏｐコマンド入力手段      １０  Ｅｎｔｅｒコマンド入力手段
１１  タイトル終了検知手段          １２  タイマー。
【図１】
0003927379.tif 000002
【図２】
0003927379.tif 000003
【図３】
0003927379.tif 000004
【図４】
0003927379.tif 000005
【図５】
0003927379.tif 000006
【図６】
0003927379.tif 000007
【図７】
0003927379.tif 000008
【図８】
0003927379.tif 000009
【図９】
0003927379.tif 000010
【図１０】
0003927379.tif 000011
【図１１】
0003927379.tif 000012
【図１２】
0003927379.tif 000013